(57)【要約】ある受容可能な性能レベルを維持しつつ、ユーザ機器（２２０，５２０，９２０）の電力消費量を最小にするようにして、基地局（２１０，５１０，９１０）からユーザ機器（２２０，５２０，９２０）に送信する制御信号を受信するメカニズムについて説明する。ユーザ機器（２２０，５２０，９２０）は、基地局（２１０，５１０，９１０）により用いられるコンポーネント・キャリアの信号品質を周期的に測定し、制御信号（アンカ）のシグナリングキャリアの再選択を要求する。もし単一のキャリアが十分な品質を持つなら単一のコンポーネント・キャリアが選択されるか、或いは、単一のキャリアの品質が低い場合は、多数のコンポーネント・キャリアが選択される。また、アンカ・キャリア再選択がトリガされて、全体としてシステムを管理してもよい。高速移動するユーザ機器（２２０、５２０、９２０）に対して、耐性を増し、再選択のシグナリングオーバヘッドを減らすため、アンカ・キャリアホッピングパターンが備えられる。
2011517536.tif 000002
【特許請求の範囲】
【請求項１】
無線ネットワーク（２００，５００，９００）のユーザ機器（２２０，５２０，９２０）を動作させる方法であって、
基地局（２１０，５２０，９２０）から送信された制御信号を受信するために前記ユーザ機器（２２０，５２０，９２０）によって用いられる１つ以上のアンカ・キャリアを含むアンカ・キャリアのセットが変更されるべきであるかどうかに関して決定を行う工程（Ａ３３０，Ａ６３０）と、
前記アンカ・キャリアのセットが変更されるべきであると決定された場合は、前記アンカ・キャリアのセットを変更するよう前記基地局（２１０，５１９，９１０）に要求を行う工程（Ａ３４０，Ａ６４０）とを有することを特徴とする方法。
【請求項２】
前記ユーザ機器（２２０，５２０，９２０）は、夫々がバンド幅と関係付けられている複数のキャリアにより前記基地局（２１０，５１０，９１０）と通信可能であり、
前記複数のキャリアにより表現される周波数スペクトラムには少なくとも１つのギャップがあることを特徴とする請求項１に記載の方法。
【請求項３】
前記ユーザ機器（２２０，５２０，９２０）の観点から第１のキャリアの信頼性が第２のキャリアの信頼性より高い場合には、前記アンカ・キャリアのセットが変更されるべきであると決定され、
前記アンカ・キャリアのセットは、前記第２のキャリアを含むが、前記第１のキャリアを含まないことを特徴とする請求項１に記載の方法。
【請求項４】
前記第１のキャリアの信号対干渉比（ＳＩＲ）が前記第２のキャリアのＳＩＲより高いことと、
前記第１のキャリアの基準信号の受信電力（ＲＳＲＰ）が前記第２のキャリアのＲＳＲＰより高いことと、
前記第１のキャリアのデータ転送速度が前記第２のキャリアのデータ転送速度よりも速いことと、
前記第１のキャリアのエラー率が前記第２のキャリアのエラー率よりも低いことと、
前記第１のキャリアの繰り返し要求率が前記第２のキャリアの繰り返し要求率よりも低いこととの内、いずれか１つ以上があてはまる場合、
前記第１のキャリアは前記第２のキャリアより信頼性が高いと決定されることを特徴とする請求項３に記載の方法。
【請求項５】
前記アンカ・キャリアのセットを変更するよう前記基地局（２１０，５１９，９１０）に要求を行う工程（Ａ３４０，Ａ６４０）の動作は、
前記アンカ・キャリアのセットが変更されるべきであると決定された場合に、前記第１のキャリアが所定の最低の信頼性の閾値に達しているかどうかを判断する工程（Ａ４１０，Ａ７１０）と、
前記第１のキャリアが前記所定の最低の信頼性の閾値に達していると判断された場合に、前記アンカ・キャリアのセットにおいて前記第１のキャリアだけを含ませるように前記基地局（２１０，５１０，９１０）に要求を行う工程（Ａ４２０，Ａ７２０）とを有することを特徴とする請求項３に記載の方法。
【請求項６】
前記アンカ・キャリアのセットを変更するよう前記基地局（２１０，５１９，９１０）に要求を行う工程（Ａ３４０，Ａ６４０）の動作は、
前記アンカ・キャリアのセットが変更されるべきであると決定された場合に、前記第１のキャリアが所定の最低の信頼性の閾値に達しているかどうかを判断する工程（Ａ４１０，Ａ７１０）と、
前記第１のキャリアが前記所定の最低の信頼性の閾値に達していないと判断された場合に、前記アンカ・キャリアのセットに多数のキャリアを含ませるように前記基地局（２１０，５１０，９１０）に要求を行う工程（Ａ４３０，Ａ７３０）とを有し、
前記多数のキャリアは、前記所定の最低の信頼性の閾値に達するために必要なアンカ・キャリアの数を最小にするために、前記ユーザ機器（２２０，５２０，９２０）が聴取可能な前記複数のキャリアから選択されることを特徴とする請求項３に記載の方法。
【請求項７】
前記基地局（２１０，５１０，９１０）は現在のサービング基地局（２１０，５１０，９１０）であり、
前記アンカ・キャリアのセットにおいて前記第１のキャリアだけを含ませるように前記基地局（２１０，５１０，９１０）に要求を行う工程（Ａ７２０）の動作は、
前記第１のキャリアが前記所定の最低の信頼性の閾値に達していると判断された場合に、新しいサービング基地局（２１０，５１０，９１０）へのハンドオフが要求されているかどうかを判断する工程（Ａ８１０）と、
前記ハンドオフが要求されていると判断された場合、前記ハンドオフのために前記現在のサービング基地局（２１０，５１０，９１０）に要求を行う工程（Ａ８２０）と、
前記ハンドオフの要求後、前記アンカ・キャリアのセットにおいて前記第１のキャリアだけを含ませるように前記新しいサービング基地局（２１０，５１０，９１０）に要求を行う工程（Ａ８３０）とを有することを特徴とする請求項５に記載の方法。
【請求項８】
前記アンカ・キャリアのセットにないキャリアで信号を受信するように適合された前記ユーザ機器（２２０，５２０，９２０）の複数の受信器を電力節約モードにおく工程をさらに有することを特徴とする請求項１に記載の方法。
【請求項９】
前記複数の受信器の各々を電力節約モードにおく工程は、
前記受信器をオフにする工程と、
前記受信器でＤＲＸモードでの動作を可能にする工程と、
前記アンカ・キャリアではないキャリアを排除するために前記受信器の受信周波数範囲を狭める工程との内のいずれか１つ以上を含むことを特徴とする請求項８に記載の方法。
【請求項１０】
前記基地局（２１０，５１０，９１０）からアンカホッピングパターンを受信する工程（Ａ１０４０）と、
前記アンカホッピングパターンに従って前記基地局（２１０，５１０，９１０）から送信される制御信号を受信するよう前記ユーザ機器（２２０，５２０，９２０）の１つ以上の受信器を適合させる工程（Ａ１０５０）とを有し、
前記アンカホッピングパターンは、前記基地局（２１０，５１０，９１０）により送信される前記制御信号を受信するために、前記ユーザ機器（９２０）により用いられる１つ以上のアンカ・キャリアのタイムシーケンスを指定することを特徴とする請求項１に記載の方法。
【請求項１１】
前記ユーザ機器（２２０，５２０，９２０）が所定の最低速度の閾値以上の速度で移動していると判断された場合、前記アンカホッピングパターンについて、前記基地局（２１０，５１０，９１０）に要求を行う工程（Ａ１０３０）をさらに有することを特徴とする請求項１０に記載の方法。
【請求項１２】
無線ネットワーク（２００，５００，９００）のユーザ機器（２２０，５２０，９２０）であって、
基地局（２１０，５２０，９２０）と通信するように構成された通信ユニット（１２３０）と、
前記基地局（２１０，５２０，９２０）から送信された制御信号を受信するために前記ユーザ機器（２２０，５２０，９２０）によって用いられる１つ以上のアンカ・キャリアを含むアンカ・キャリアのセットが変更されるべきであるかどうかに関して決定し、
前記アンカ・キャリアのセットが変更されるべきであると決定された場合は、前記アンカ・キャリアのセットを変更するよう、前記通信ユニット（１２３０）を介して、前記基地局（２１０，５１９，９１０）に要求を行うよう構成された処理ユニット（１２１０）とを有することを特徴とするユーザ機器。
【請求項１３】
前記ユーザ機器（２２０，５２０，９２０）は、夫々がバンド幅と関係付けられている複数のキャリアにより前記基地局（２１０，５１０，９１０）と通信可能であり、
前記複数のキャリアにより表現される周波数スペクトラムには少なくとも１つのギャップがあることを特徴とする請求項１２に記載のユーザ機器。
【請求項１４】
前記処理ユニット（１２１０）は、第１のキャリアの信頼性が第２のキャリアの信頼性より高い場合には、前記アンカ・キャリアのセットが変更されるべきであると決定するよう構成され、
前記アンカ・キャリアのセットは、前記第２のキャリアを含むが、前記第１のキャリアを含まないことを特徴とする請求項１２に記載のユーザ機器。
【請求項１５】
前記処理ユニット（１２１０）は、
前記第１のキャリアの信号対干渉比（ＳＩＲ）が前記第２のキャリアのＳＩＲより高いことと、
前記第１のキャリアの基準信号の受信電力（ＲＳＲＰ）が前記第２のキャリアのＲＳＲＰより高いことと、
前記第１のキャリアのデータ転送速度が前記第２のキャリアのデータ転送速度よりも速いことと、
前記第１のキャリアのエラー率が前記第２のキャリアのエラー率よりも低いことと、
前記第１のキャリアの繰り返し要求率が前記第２のキャリアの繰り返し要求率よりも低いこととの内、いずれか１つ以上があてはまる場合、
前記第１のキャリアは前記第２のキャリアより信頼性が高いと決定するよう構成されていることを特徴とする請求項１４に記載のユーザ機器。
【請求項１６】
前記処理ユニット（１２１０）は、
前記アンカ・キャリアのセットが変更されるべきであると決定された場合に、前記第１のキャリアが所定の最低の信頼性の閾値に達しているかどうかを判断し、
前記第１のキャリアが前記所定の最低の信頼性の閾値に達していると判断した場合に、前記アンカ・キャリアのセットにおいて前記第１のキャリアだけを含ませるように前記基地局（２１０，５１０，９１０）に要求を行うことにより、
前記アンカ・キャリアのセットへの変更を要求するよう構成されていることを特徴とする請求項１４に記載のユーザ機器。
【請求項１７】
前記処理ユニット（１２１０）は、
前記アンカ・キャリアのセットが変更されるべきであると決定された場合に、前記第１のキャリアが所定の最低の信頼性の閾値に達しているかどうかを判断し、
前記第１のキャリアが前記所定の最低の信頼性の閾値に達していないと判断された場合に、前記アンカ・キャリアのセットに多数のキャリアを含ませるように前記基地局（２１０，５１０，９１０）に要求を行うことにより、
前記アンカ・キャリアのセットへの変更を要求するよう構成されており、
前記多数のキャリアは、前記所定の最低の信頼性の閾値に達するために必要なアンカ・キャリアの数を最小にするために、前記通信ユニット（１２３０）が聴取可能な前記複数のキャリアから選択されることを特徴とする請求項１４に記載のユーザ機器。
【請求項１８】
前記基地局（２１０，５１０，９１０）は現在のサービング基地局（２１０，５１０，９１０）であり、
前記処理ユニット（１２１０）は、
前記第１のキャリアが前記所定の最低の信頼性の閾値に達していると判断された場合に、新しいサービング基地局（２１０，５１０，９１０）へのハンドオフが要求されているかどうかを判断し、
前記ハンドオフが要求されていると判断された場合、前記ハンドオフのために前記現在のサービング基地局（２１０，５１０，９１０）に要求を行い、
前記ハンドオフの要求後、前記アンカ・キャリアのセットにおいて前記第１のキャリアだけを含ませるように前記新しいサービング基地局（２１０，５１０，９１０）に要求を行うように構成されていることを特徴とする請求項１６に記載のユーザ機器。
【請求項１９】
前記処理ユニット（１２１０）は、
前記アンカ・キャリアのセットにないキャリアで信号を受信するように適合された前記ユーザ機器（２２０，５２０，９２０）の複数の受信器を電力節約モードにおくよう構成されていることを特徴とする請求項１２に記載のユーザ機器。
【請求項２０】
前記複数の受信器の各々を電力節約モードにおくことは、
前記受信器をオフにすることと、
前記受信器でＤＲＸモードでの動作を可能にすることと、
前記アンカ・キャリアではないキャリアを排除するために前記受信器の受信周波数範囲を狭めることとの内のいずれか１つ以上を含むことを特徴とする請求項１９に記載のユーザ機器。
【請求項２１】
前記通信ユニット（１２３０）は、
前記基地局（２１０，５１０，９１０）により送信された対応するキャリアで信号を受信するように構成された、バンド幅が固定の２つ以上の受信器、或は、
前記基地局（２１０，５１０，９１０）により送信された１つ以上のキャリアで信号を受信するように動的に適合可能に構成された、バンド幅が適合的な１つ以上の受信器と、或は、
バンド幅が固定の１つ以上の受信器とバンド幅が適合的な１つ以上の受信器を含むことを特徴とする請求項１２に記載のユーザ機器。
【請求項２２】
前記処理ユニット（１２１０）は、
前記基地局（２１０，５１０，９１０）からアンカホッピングパターンを前記通信ユニット（１２３０）を介して受信し、
前記アンカホッピングパターンに従って前記基地局（２１０，５１０，９１０）から送信される制御信号を受信するよう前記通信ユニット（１２３０）の１つ以上の受信器を適合させるように構成され、
前記アンカホッピングパターンは、前記基地局（２１０，５１０，９１０）により送信される前記制御信号を受信するために、前記ユーザ機器（２２０，５２０，９２０）により用いられる１つ以上のアンカ・キャリアのタイムシーケンスを指定することを特徴とする請求項１２に記載のユーザ機器。
【請求項２３】
前記ユーザ機器（２２０，５２０，９２０）の位置を決定するように構成された位置検出ユニット（１２４０）をさらに有し、
前記処理ユニット（１２１０）は、
前記位置検出ユニット（１２４０）を介して、前記ユーザ機器（２２０，５２０，９２０）が所定の最低速度の閾値以上で移動していることを判断し、
前記ユーザ機器（２２０，５２０，９２０）が前記所定の最低速度の閾値以上で移動していると判断された場合、前記アンカホッピングパターンについて、前記通信ユニット（１２３０）を介して、前記基地局（２１０，５１０，９１０）に要求を行うよう構成されていることを特徴とする請求項２２に記載のユーザ機器。
【請求項２４】
無線ネットワーク（２００，５００，９００）の基地局（２１０，５１０，９１０）を動作させる方法であって、
１つ以上のユーザ機器（２２０，５２０，９２０）に関し、前記１つ以上のユーザ機器（２２０，５２０，９２０）に対して、制御信号を送信するために前記基地局（２１０，５１０，９１０）により用いられる複数のアンカ・キャリアのセットが更新されるべきであるかどうかに関して決定を行う工程（Ａ１１２０）と、
前記複数のアンカ・キャリアのセットが更新されるべきであると決定された場合は、前記アンカ・キャリアのセットの更新の通知を前記１つ以上のユーザ機器（２２０，５２０，９２０）に送信する工程（Ａ１１３０）とを有することを特徴とする方法。
【請求項２５】
前記１つ以上のユーザ機器（２２０，５２０，９２０）の各々に関して、前記通知は、どのキャリアが前記ユーザ機器（２２０，５２０，９２０）が制御信号を送信するためにアンカ・キャリアとして前記基地局（２１０，５１０，９１０）により用いられるのかの指示を含むことを特徴とする請求項２４に記載の方法。
【請求項２６】
少なくとも１つのアンカ・キャリアの信号対干渉比（ＳＩＲ）が、前記１つ以上のユーザ機器（２２０，５２０，９２０）のいずれかに対する所定の最低ＳＩＲの閾値より小さいことと、
少なくとも１つのアンカ・キャリアにより送信されるデータのエラー率が、前記１つ以上のユーザ機器（２２０，５２０，９２０）のいずれかに対する所定のエラー率の閾値を超えることと、
少なくとも１つのアンカ・キャリアにより送信されるデータの繰り返し要求率が、前記１つ以上のユーザ機器（２２０．５２０，９２０）のいずれかに対する所定の繰り返し要求率の閾値よりも低いことと、
第１のキャリアにより前記基地局（２１０，５１０，９１０）によりサービスを受けているユーザ機器（２２０，５２０，９２０）の数が、第２のキャリアにより前記基地局（２１０，５１０，９１０）によりサービスを受けているユーザ機器（２２０，５２０，９２０）の数より少なくとも所定の数だけ多いことと、
前記第１のキャリアにより送信されるデータ量が、前記第２のキャリアにより送信されるデータ量よりも少なくとも所定の量だけ多いこととの内、いずれか１つ以上があてはまる場合、
前記複数のアンカ・キャリアのセットは更新されるべきであると決定されることを特徴とする請求項２４に記載の方法。
【請求項２７】
ユーザ機器（２２０，５２０，９２０）に対して、アンカホッピングパターンが必要であるかどうかに関して決定を行う工程（Ａ１０２０）と、
前記アンカホッピングパターンが必要であると決定された場合、前記ユーザ機器（９２０）に対して前記アンカホッピングパターンを提供する工程（Ａ１０４０）と、
前記アンカホッピングパターンに従って、前記ユーザ機器（２２０，５２０，９２０）に対して制御信号を送信する工程（Ａ１０５０）とをさらに有し、
前記アンカホッピングパターンは、前記ユーザ機器（２２０，５２０，９２０）に前記制御信号を送信するために、前記基地局（２１０，５１０，９１０）により用いられる１つ以上のアンカ・キャリアのタイムシーケンスを指定することを特徴とする請求項２４に記載の方法。
【請求項２８】
前記ユーザ機器（２２０，５２０，９２０）は所定の最低速度の閾値以上の速度で移動していると判断された場合、或は、
前記アンカホッピングパターンの要求が前記ユーザ機器（２２０，５２０，９２０）から受信された場合には、
前記アンカホッピングパターンが必要であると判断することを特徴とする請求項２７に記載の方法。
【請求項２９】
無線ネットワーク（２００，５００，９００）の基地局（２１０，５１０，９１０）であって、
ユーザ機器（９２０）と通信を行うように構成された通信ユニット（１３３０）と、
１つ以上のユーザ機器（２２０，５２０，９２０）に関し、前記１つ以上のユーザ機器（２２０，５２０，９２０）に対して、制御信号を送信するために前記基地局（２１０，５１０，９１０）により用いられる複数のアンカ・キャリアのセットが更新されるべきであるかどうかに関して決定を行い、
前記複数のアンカ・キャリアのセットが更新されるべきであると決定された場合は、前記複数のアンカ・キャリアのセットの更新の通知を、前記通信ユニット（１３３０）を介して、前記１つ以上のユーザ機器（２２０，５２０，９２０）に送信するよう構成された処理ユニット（１３１０）とを有することを特徴とする基地局。
【請求項３０】
前記１つ以上のユーザ機器（２２０，５２０，９２０）の各々に関して、前記通知は、どのキャリアが前記ユーザ機器（２２０，５２０，９２０）が制御信号を送信するためにアンカ・キャリアとして前記基地局（２１０，５１０，９１０）により用いられるのかの指示を含むことを特徴とする請求項２９に記載の基地局。
【請求項３１】
前記処理ユニット（１３１０）は、
少なくとも１つのアンカ・キャリアの信号対干渉比（ＳＩＲ）が、前記１つ以上のユーザ機器（２２０，５２０，９２０）のいずれかに対する所定の最低ＳＩＲの閾値より小さいことと、
少なくとも１つのアンカ・キャリアにより送信されるデータのエラー率が、前記１つ以上のユーザ機器（２２０，５２０，９２０）のいずれかに対する所定のエラー率の閾値を超えることと、
少なくとも１つのアンカ・キャリアにより送信されるデータの繰り返し要求率が、前記１つ以上のユーザ機器（２２０．５２０，９２０）のいずれかに対する所定の繰り返し要求率の閾値よりも低いことと、
第１のキャリアにより前記基地局（２１０，５１０，９１０）によりサービスを受けているユーザ機器（２２０，５２０，９２０）の数が、第２のキャリアにより前記基地局（２１０，５１０，９１０）によりサービスを受けているユーザ機器（２２０，５２０，９２０）の数より少なくとも所定の数だけ多いことと、
前記第１のキャリアにより送信されるデータ量が、前記第２のキャリアにより送信されるデータ量よりも少なくとも所定の量だけ多いこととの内、いずれか１つ以上があてはまる場合、
前記複数のアンカ・キャリアのセットは更新されるべきかどうかに関する決定を行うように構成されていることを特徴とする請求項２９に記載の基地局。
【請求項３２】
前記処理ユニット（１３１０）は、
ユーザ機器（２２０，５２０，９２０）に対して、アンカホッピングパターンが必要であるかどうかに関して決定を行い、
前記アンカホッピングパターンが必要であると決定された場合、前記ユーザ機器（９２０）に対して前記アンカホッピングパターンを提供し、
前記アンカホッピングパターンに従って、前記ユーザ機器（２２０，５２０，９２０）に対して制御信号を送信するよう構成されており、
前記アンカホッピングパターンは、前記ユーザ機器（２２０，５２０，９２０）に前記制御信号を送信するために、前記基地局（２１０，５１０，９１０）により用いられる１つ以上のアンカ・キャリアのタイムシーケンスを指定することを特徴とする請求項２９に記載の基地局。
【請求項３３】
前記処理ユニット（１３１０）は、
前記処理ユニット（１３１０）が前記ユーザ機器（２２０，５２０，９２０）は所定の最低速度の閾値以上の速度で移動していると判断するか、或は、
前記アンカホッピングパターンの要求が前記ユーザ機器（２２０，５２０，９２０）から受信された場合には、
前記アンカホッピングパターンが必要であると判断するよう構成されていることを特徴とする請求項３２に記載の基地局。
【請求項３４】
前記アンカ・キャリアのセットにおけるアンカ・キャリアの数は要求後、変更されることを特徴とする請求項１に記載の方法。
【発明の詳細な説明】
【技術分野】
【０００１】
ここで開示される技術は、無線ネットワークのユーザ機器のための一つ以上のアンカ・キャリアの選択に関する。
【背景技術】
【０００２】
セルラシステムの発展は、将来において、１Ｇビット／秒以上に及ぶ、著しいデータ速度向上の見込みがある。より速いデータ速度は通常、より大きいシステム帯域幅を必要とする。ＩＭＴ（第３世代移動通信）高度化（即ち、第４世代移動通信）システムでは、１００ＭＨｚに至る帯域幅が議論されてきた。不幸にも、無線スペクトルは制限されたリソースであり、多くの運用業者およびシステムは同じ無線リソースを共用する必要があるため、自由な１００ＭＨｚ連続スペクトルを見つけ出すことは難しい。
【０００３】
この問題に対処する一つの方法は、図１に示すように、多数の狭い帯域幅（即ち、コンポーネント・キャリア）を集約することであり、これら狭帯域幅は連続的でも非連続的でも良く、これを集約して広い帯域幅を実現する。図１の例では、５０ＭＨｚ帯域幅スペクトルが、個別の狭い帯域幅のコンポーネント・キャリアを集約することによって実現されており、この例では２０ＭＨｚ、２０ＭＨｚ、及び１０ＭＨｚの幅のキャリアである。そのような解決策の一つの利点は、最大１Ｇビット／秒以上のデータ速度をサポートするため、十分大きな帯域幅を生成することが可能である点にある。更に、この解決策はまた、スペクトル部分を各種の状況および地理的位置に適応させることを可能とし、それ故、その様な解決策を非常に柔軟にしている。
【０００４】
連続的および非連続的スペクトルをサポートするための、ＬＴＥ（ロングタームエボリューション）のような現在のセルラシステムにおける容易な進展は、マルチ・キャリアを導入することである。即ち、“レガシＬＴＥ”システムのキャリアを表わす各々のスペクトル“チャンク”に関し、異なるキャリア周波数で送信する異なる帯域幅の多数のＬＴＥコンポーネント・キャリアを受信可能に“４Ｇ”ユーザ機器は製造される。
【０００５】
どこで（周波数またはサブチャネルの）、いつ（時間で）、或は、いつどこでユーザ機器に対するデータパケットがスケジュールされているかを知るため、ユーザ機器は、レイヤ１および２（Ｌ１，Ｌ２）制御信号を聴取する必要がある。ＧＳＭやＬＴＥのような単一帯域幅システムでは、サービングセルの単一キャリア周波数で、サービング基地局から制御信号がシグナリングされる。
【発明の概要】
【発明が解決しようとする課題】
【０００６】
単一帯域幅システムの制御信号のシグナリングはマルチキャリアでのシナリオに拡張できる。即ち、ユーザ機器は制御信号の集約されたスペクトルの全体を聴取することができる。このアプローチは簡単であるように思われるが、ユーザ機器の電力消費量の点で重大な欠点がある。スペクトルを集約するアプローチは、特に非連続スペクトルの場合、ユーザ機器の無線受信器アーキテクチャが、僅かな数の連続的なシステム帯域幅のみを受信可能なユーザ機器の場合よりずっと複雑になるだろうということを示唆する。フロントエンド無線部はスペクトル“チャンク”間のブロッキング信号を抑圧することができる必要があるというのがその理由はである。この問題を扱うためには異なる種類の無線アーキテクチャが使用される。しかしながら、異なる無線アーキテクチュアを用いることには通常、標準の連続するシステム帯域幅を受信する受信器に比較して、電力消費量の点で欠点を伴う。
【課題を解決するための手段】
【０００７】
本発明の一つの側面は、受容可能なあるレベルの信頼性と性能との内の少なくともいずれかを維持しながらも、ユーザ機器の電力消費量を最小にするようにして、ユーザ機器が基地局から送信する制御信号を受信する機構を提供することである。このバランスを実現するため、ユーザ機器では最低限の受信器能力がアクティベートされ、受容可能な信頼性と性能との内の少なくともいずれかを実現するであろう。
【０００８】
最良のシナリオでは、単一のコンポーネント・キャリアがあれば、そのユーザ機器には十分であろう。その結果、ユーザ機器はアンカ・キャリアとして単一のコンポーネント・キャリアを使用し、残りの全ての受信器能力を電力節約モードに置くことができる。アンカ・キャリアにより、基地局からユーザ機器に制御信号を搬送する。
【０００９】
最適以下の条件では、ユーザ機器は、受容可能なレベルの性能を維持するのに必要なだけの能力を作動させる。例えば、ユーザ機器が、異なる狭い帯域幅コンポーネント・キャリアを聴取するよう各々が適応した複数の受信器を含むなら、多数のアンカ・キャリアの制御信号を聴取するよう、多数の受信器を作動させると良い。もう一つの例として、ユーザ機器が一つ以上の適応可能な帯域幅の受信器を含むなら、多数のアンカ・キャリアを聴取するよう、一つ以上の受信器の周波数範囲が調整されると良い。
【００１０】
ユーザ機器は、−連続的というよりはむしろ−周期的に、基地局からのキャリアをモニタすることができる。周期的なモニタリングでは、それらのキャリアのための受信器は連続的に電源オンになっていないので、ユーザ機器の電力消費量を削減する助けとなる。トリガ・イベントが発生した場合、ユーザ機器は基地局に対してアンカ・キャリアの選択（変更）を要求することができる。
【００１１】
ある実施例では、現在の非アンカ・キャリアの少なくとも一つが、現在のアンカ・キャリアの少なくとも一つより状態が良いと、通常、トリガ・イベントが発生する。トリガ・イベントが発生すると、変更が生じて現在の非アンカ・キャリアがユーザ機器の新しいアンカ・キャリアの一つになる。もし現在の非アンカ・キャリアがそのままで十分であれば、それは唯一のアンカ・キャリアとなることができる。これにより、大部分の時間を電源オフとして、周期的モニタの間のみ電源オンとなるように、ユーザ機器のその他の全ての受信器を電力節約モードに置くことが可能になる。
【００１２】
なお、ユーザ機器のアンカ・キャリア数を最小にすることは、ユーザ機器により少ないリソース（より少数のキャリア）を充てれば良いので、システム能力を高めるという益がある。
【００１３】
これらの概念は多数の基地局に拡張可能である。例えば、ユーザ機器は、単一の基地局からのキャリアのみならず、他の基地局からのキャリアにも、アンカ・キャリアの切換えを要求できる。即ち、ソフトハンドオーバやソフタハンドオーバを要求できる。
【００１４】
別の側面からすれば、基地局自身が、負荷管理目的のためにアンカ・キャリアの切換えを開始できる。また、ユーザ機器のためのアンカ・キャリアの経時的変化を定めるシーケンスであるキャリア・ホッピングが実装可能である。キャリア・ホッピングは、速く移動するユーザ機器に特に有益である。
【００１５】
これら実施例の利点には、少なくとも以下のことを含む。上述の、また、以下に詳述するアンカ・キャリアセットの選択手順を導入することにより、ユーザ機器は−多くの場合−制御信号のシグナリングを復号化するため単一のコンポーネント・キャリアにとどまるだけで良い。このことは、無線フロントエンドにおいて、電流の消費量をかなりの程度、削減する助けとなる。また、ユーザ機器は、もしそれが現在の無線チャネル・シナリオに必要であれば、単一のセルまたは多数のセルから、制御信号のシグナリングのために多数のコンポーネント・キャリアを選択することもできる。このことは、改善した制御信号のシグナリングの耐性を提供する。更に、キャリアセットのホッピングを実装することにより、高速に移動するユーザ機器のため、シグナリングオーバヘッドを削減する一方で、耐性のある制御信号シグナリングを実現する。また更に、アンカ・キャリアセットの更新を可能にすることにより、ネットワークの負荷を効率的に管理することができる。
【００１６】
本発明についての前述した、また、その他の目的、特徴および利点は、参照文字を各図を通じて同じ部分を言及するようにした添付図面に例示する好適な実施例についての以下の更に具体的な説明から明らかになるであろう。これらの図面をきちんと縮尺することは必ずしも必要ではなく、代わりに本発明の原理を示すことを重きが置かれている。
【図面の簡単な説明】
【００１７】
【図１】集約される広い帯域幅のキャリアに多数の狭い帯域幅キャリアを集約した例を示す図である。
【図２】ユーザ機器にアンカ・キャリアを選択した無線ネットワークの実施例を示す図である。
【図３】ユーザ機器にアンカ・キャリアを選択する方法の例を示す図である。
【図４】アンカ・キャリアの切換えを要求する方法の例を示す図である。
【図５】ユーザ機器にアンカ・キャリアを選択する無線ネットワークのもう一つの実施例を示す図である。
【図６】ユーザ機器に多数の基地局からアンカ・キャリアを選択する方法の例を示す図である。
【図７】多数の基地局からアンカ・キャリアを切換えることを要求する方法の例を示す図である。
【図８】ある基地局から別の基地局にユーザ機器の可能なハンドオフを容易にする方法の例を示す図である。
【図９】キャリア・ホッピングを容易にする無線ネットワークのもう一つの実施例を示す図である。
【図１０】キャリア・ホッピングを容易にする方法の例を示す図である。
【図１１】負荷管理のための方法の例を示す図である。
【図１２】ユーザ機器の実施例を示す図である。
【図１３】基地局の実施例を示す図である。
【発明を実施するための形態】
【００１８】
以下の説明は、説明目的のためであり、発明を制限するためでなく、本発明の完全な理解を提供するため、特定のアーキテクチャ、インタフェース、技術等の具体的な詳細が説明される。しかしながら、本発明はこれらの具体的な詳細から逸脱した他の実施例において実行してもよいということが当業者には明らかであろう。即ち、当業者であれば、ここで明確に説明または示していないが、本発明の原理を具体化し、本発明の精神と範囲内に含まれる種々の構成を発明することができるであろう。
【００１９】
幾つかの事例では、不必要な詳細により本発明の説明を曖昧にしないよう、周知のデバイス、回路および方法の詳細な説明を省略している。本発明の原理、側面および実施例についてここで列挙する全ての陳述とともに、それらの具体例は、それらの構造的および機能的等価物を包含すること意図している。加えて、その様な等価物は、現在既知の等価物と、同じく将来開発されるであろう等価物の両方、即ち、構造に関係なく、同じ機能を実行するよう開発した任意の要素を含むことを意図している。
【００２０】
それ故、例えば、本発明の図面のブロック図は、本発明の技術の原理を具体化する例示的な回路の概念図を表わすことができるということを当業者は認識するであろう。同様に、いずれのフローチャート、状態遷移図、疑似コードおよび同様のものは、コンピュータ可読媒体で実質的に表現され、コンピュータまたはプロセッサが明示的に示されていなくても、そのようなコンピュータまたはプロセッサにより実行される種々の処理を表わしていることも認識するであろう。
【００２１】
“プロセッサ”または“コントローラ”と称しまたは説明する機能ブロックを含む各種の要素の機能は、専用ハードウエアに使用によるとともに、適当なソフトウエアと関連でソフトウエアを実行可能なハードウエアの使用を通じて備えられる。プロセッサにより備えられる場合、その機能は、単一の専用プロセッサ、単一の共用プロセッサ、または、それらの幾つかは共用または分散された複数の個別プロセッサにより備えられる。更に、“プロセッサ”または“コントローラ”という用語の明確な使用は、ソフトウエアを実行可能なハードウエアを排他的に言及していると解釈すべきでなく、何の制限なしに、デジタルシグナルプロセッサ（ＤＳＰ）ハードウエア、ソフトウエアを蓄積する読取専用メモリ（ＲＯＭ）、ランダムアクセスメモリ（ＲＡＭ）、および非揮発性記憶装置を含むものである。
【００２２】
ある実施例では、１つ以上のＬ１／Ｌ２制御信号シグナリングコンポーネント・キャリアの再選択手順を導入する。これはいくつかの方法で達成可能である。１つの方法では、ユーザ機器は、正規的なベースで（即ち、周期的に）、集められた帯域幅スペクトルのそれぞれのコンポーネント・キャリアの信号の信頼性を測定することができる。ＳＩＲ（信号対干渉比）、ＲＳＲＰ（基準信号受信電力）、データ転送速度、誤り率、再送要求率等の観点から、信号信頼性を測定することができる。一般的に、どのＱｏＳ（サービス品質）測定パラメータが信頼性のために用いられても良い。
【００２３】
コンポーネント・キャリアの信頼性に基づき、ユーザ機器は基地局に対してアンカ・キャリア再選択を要求できる。即ち、ユーザ機器のために一つ以上のアンカ・キャリアを含むキャリアのセットであるアンカ・キャリアセットにおける変更を、ユーザ機器は要求できる。Ｌ１／Ｌ２制御信号のような、基地局からユーザ機器への制御信号を搬送するキャリアとして、アンカ・キャリアを見ることができる。制御信号は、ユーザ機器のためにスケジュールされた特定のダウンリンクとアップリンク・リソース（コンポーネント・キャリアのリソース・ブロックの識別のような）、使用する変調方式、送信電力レベル等に関して、ユーザ機器に情報を通知する。
【００２４】
アンカ・キャリア再選択では、アンカ・キャリアセットに含まれるように、単一のコンポーネント・キャリアを選択できるし、或は、多数のコンポーネント・キャリアを選択しても良い。例えば、単一のコンポーネント・キャリアが、ユーザ機器の観点から十分なＳＩＲを持つかもしれず、従って、そのセットには単一のアンカ・キャリアがあるとして選択できる。もし単一のコンポーネント・キャリアが十分なＳＩＲを持たないならば、所望のＳＩＲを実現するために、多数のキャリアを選択して、アンカ・キャリアセットに含むようにできる。
【００２５】
また、負荷管理目的のため、アンカ・キャリア選択手順を開始してもよい。通常、基地局は多数のユーザ機器と通信しており、制御信号を多数のユーザ機器に送信するため、基地局により１つのコンポーネント・キャリアが用いられる。同様に、データ信号を搬送するため、同じコンポーネント・キャリアを使用できる。これらの事例では、いくつかのコンポーネント・キャリアは過度に利用され、その他のコンポーネント・キャリアは十分に利用されない。この問題を軽減するため、異なるアンカ・キャリアを異なるユーザ機器に選択して、負荷を分散する。また、異なるユーザ機器のアンカ・キャリアセットは動的に変更されてもよい。
【００２６】
アンカ・キャリア選択手順が完了すると、ユーザ機器のためのアンカ・キャリア数は通常、変更以前にあったものより少ない数に変更されるのが望ましい。
【００２７】
もう１つの方法では、制御信号シグナリングのホッピング・パターン、即ち、アンカ・キャリア・ホッピング・パターンがユーザ機器に提供される。アンカ・キャリア・ホッピング・パターンは、アンカ・キャリアまたはユーザ機器に選択したキャリアのシーケンス経時変化を定義する。このシーケンスは、サブフレーム（１ｍｓ）毎、スーパ・フレーム（１０ｍｓ）毎等のように正規的な間隔であると良い。ホッピングを導入することにより、周波数と時間の選択性フェージングに対する耐性が導入され、再選択のシグナリングオーバヘッドが削減される。
【００２８】
図２は無線ネットワーク２００の実施例を示し、そのネットワークはユーザ機器２２０−１、２２０−２、２２０−３と無線通信する基地局２１０を含む。また、基地局２１０はしばしば、ノードＢまたはｅＮＢと呼ばれ、ユーザ機器２２０の例には、セルラ電話、携帯情報端末（ＰＤＡ）および移動端末を含む。
【００２９】
基地局２１０からユーザ機器２２０各々に向かう双方向のジグザグ矢印の線は、アンカ・キャリアとして使用する集められた広い帯域幅スペクトル（図１参照）のコンポーネント・キャリアを表わす。図２では、単一のアンカ・キャリアがユーザ機器２２０−１のアンカ・キャリアセットにあり、２個のアンカ・キャリアがユーザ機器２２０−２のアンカ・キャリアセットに含まれ、３個のアンカ・キャリアがユーザ機器２２０−３のアンカ・キャリアセットに含まれる。
【００３０】
なお、ユーザ機器２２０はアンカ・キャリアとして共通のコンポーネント・キャリアを共有できる。例えば、ユーザ機器２２０−２のアンカ・キャリアの１つは、ユーザ機器２２０−１のアンカ・キャリアとして使用するものと同じコンポーネント・キャリアであってもよい。
【００３１】
図２では、基地局２１０は送信することが可能であり、ユーザ機器２２０は、各コンポーネント・キャリアが帯域幅と関連する、複数のコンポーネント・キャリアを受信することが可能である。即ち、無線ネットワーク２００は、マルチキャリアＬＴＥまたはＧＳＭ、ＷＣＤＭＡ等のようなマルチキャリア・システムである。複数のキャリアは、図１に示すような複数のキャリアにより表現される集められた周波数スペクトルにおいて、少なくとも一つのギャップがあるようなもので良い。
【００３２】
図３は、ユーザ機器２２０の観点からユーザ機器２２０の一つ以上のアンカ・キャリアを選択するための方法の例Ｍ３００を示す。この方法では、ユーザ機器２２０は、アンカ・キャリアとして選択される可能性がある基地局２１０から、コンポーネント・キャリアで情報を受信する。例えば、ユーザ機器２２０がまず基地局２１０に接続すると、基地局２１０は情報を同報するかもしれない。この時点では、少なくとも一つのコンポーネント・キャリアをユーザ機器２２０のアンカ・キャリアとして使用すると仮定する。１つの例では、基地局２１０との初期の接続時に、ユーザ機器２２０のアンカ・キャリアとして、デフォルト・キャリアを割当ててもよい。
【００３３】
次に、Ａ３２０で、ユーザ機器２２０は、基地局２１０から複数のコンポーネント・キャリアの中の一つ以上で送信される信号をモニタする。これらのキャリアのモニタは、例えば、５０〜１００ミリ秒毎に周期的に実施することが望ましい。このようにして、電力消費量は最小になる。
【００３４】
Ａ３３０では、アンカ・キャリアセットを変更すべきかどうかに関して、ユーザ機器２２０は決定を行う。基地局２１０から送信される制御信号を受信するためにユーザ機器２２０が使用する一つ以上のアンカ・キャリアを含むキャリアのセットとして、アンカ・キャリアセットを定義する。ユーザ機器２２０はＡ３２０で実行したモニタに基づいて、この決定を行う、即ち、トリガ・イベントが発生したかどうかが決定される。
【００３５】
１実施例では、非アンカ・コンポーネント・キャリア（アンカ・キャリアセットに現在ないキャリア）の信頼性が、アンカ・キャリア（アンカ・キャリアセットに現在あるキャリア）の信頼性より大きい場合、アンカ・キャリアセットを変更すべきであるということをユーザ機器２２０は決定する。なお、信頼性の比較はユーザ機器２２０の観点から行なわれる。
【００３６】
各キャリアの信号対干渉比（ＳＩＲ）、基準信号受信電力（ＲＳＲＰ）、データ転送速度、誤り率、再送要求率等に基づいて、信頼性を決定してもよい。即ち、現在はアンカ・キャリアセットにない第１のキャリアと現在はアンカ・キャリアセットにある第２のキャリアとの間で、第１のキャリアのＳＩＲが第２のキャリアより高い、第１のキャリアのＲＳＲＰが第２のキャリアより高い、第１のキャリアのデータ転送速度が第２のキャリアより大きい、および第１のキャリアの誤り率が第２のキャリアのそれより低い場合、第１のキャリアは第２のキャリアより、より信頼性があると決定できる。また、第１のキャリアの再送要求率が第２のキャリアのそれより低い可能性があり、例えば、第１のキャリアのＨＡＲＱ（自動再送要求）速度が第２のキャリアのそれより低い可能性がある。一般的に、ＱｏＳ（サービス品質）パラメータを信頼性測定に使用できる。
【００３７】
もしＡ３３０でアンカ・キャリアセットを変更すべきであるとユーザ機器２２０が決定するなら、ユーザ機器２２０は基地局２１０に要求を行い、Ａ３４０でアンカ・キャリアセットを変更することができる。もしそうでなければ、ユーザ機器２２０はキャリアをモニタするためにＡ３２０に戻ることができる。
【００３８】
図４は、図３のＡ３４０を実行する方法の例を示す。図４では、ユーザ機器２２０は、第１のキャリア、即ち、現在の非アンカ・キャリアが、Ａ４１０における所定の最低の信頼性の閾値に合致するのかどうかを決定する。即ち、唯一のアンカ・キャリアとして役目を果たすため、第１のキャリアがそのままで十分であるかどうか、ユーザ機器２２０は決定する。もし第１のキャリアが所定の最低の信頼性の閾値に合致するなら、Ａ４２０で、アンカ・キャリアセットに第１のキャリアのみを含めるよう、ユーザ機器２２０は基地局２１０に要求する。これにより、その他のコンポーネント・キャリアを聴取するよう構成したユーザ機器２２０の受信器が、電力節約モードに入ることが可能になる。電力節約モードの例には、受信器の電源をオフにすること、受信器のＤＲＸ（不連続受信）モードの電源をオンにすること、受信器の周波数を狭めること（適応可能な帯域幅受信器の場合）等を含む。
【００３９】
これに対して、もし第１のキャリアが、Ａ４１０における所定の最低の信頼性の閾値に合致しないなら、Ａ４３０で、ユーザ機器２２０は、第１のキャリアを含むことができるアンカ・キャリアセットに多数のキャリアを含めるよう基地局２１０に要求する。ここで、所定の最低の信頼性の閾値に合致するのに必要なアンカ・キャリアセットのアンカ・キャリア数を最小にするよう、ユーザ機器２２０が聴取できる複数のキャリアから、多数のキャリアを選択することができる。所定の最低の信頼性の閾値は、上記で検討したパラメータのような信頼性パラメータに基づいていると良い。
【００４０】
図２では、ユーザ機器２２０は単一の基地局２１０から制御信号を受信する。即ち、アンカ・キャリアは、全て同じ基地局２１０からのものである。しかしながら、多数の基地局を含めることは可能である。図５に示す実施例では、ユーザ機器５２０のためのアンカ・キャリアセットには、異なる基地局５１０−１と５１０−２からのコンポーネント・キャリアを含めることができる。この事例では、ユーザ機器５２０は、両方の基地局５１０が使用するコンポーネント・キャリアで搬送する信号をモニタすることができる。図５では、基地局５１０−１のような基地局５１０の中の一つを、ユーザ機器５２０のためのサービング基地局５１０であると仮定する。
【００４１】
図６は、多数の基地局がある場合、ユーザ機器のためにアンカ・キャリアを選択する方法の例Ｍ６００を示す。この方法では、ユーザ機器５２０は、Ａ６１０でアンカ・キャリアとして使用されるコンポーネント・キャリアの情報を受信できる。この状況では、ユーザ機器５２０は、多数の基地局５１０のコンポーネント・キャリアに関する情報を受信する。
【００４２】
Ａ６２０で、ユーザ機器５２０は各々の基地局５１０のコンポーネント・キャリアをモニタする。このモニタに基づき、ユーザ機器５２０は、Ａ６３０でアンカ・キャリアセットを変更すべきかどうかについて決定を行なう、即ち、トリガ・イベントが発生したかどうかを決定する。もしユーザ機器５２０がそのような決定を行なうなら、ユーザ機器５２０はＡ６４０のアンカ・キャリアセットを切換えるよう要求する。そうでなければ、ユーザ機器５２０はＡ６２０に戻りキャリアをモニタする。なお、図６のＡ６１０、Ａ６２０およびＡ６３０は、それぞれ図３におけるＡ３１０、Ａ３２０およびＡ３３０と同じである。その相違は、図６の多数の基地局５１０では複数のコンポーネント・キャリアを考慮するという点にある。
【００４３】
図７は、図６のＡ６４０を実行する方法の例を示す。図７では、ユーザ機器５２０は、第１のキャリアがＡ７１０の所定の最低の信頼性の閾値に合致するかどうかを決定する。もしそうなら、Ａ７２０のアンカ・キャリアセットの第１のキャリアのみを含めるよう、ユーザ機器５２０は要求する。もしそうでなければ、Ａ７３０では、ユーザ機器５２０は、アンカ・キャリアセットに多数のキャリアを含めるよう要求する。再び、所定の最低の信頼性の閾値に合致させるため、キャリア数を最小にするよう、複数のキャリアを選択する。なお、複数のキャリアは、全てが必ずしも単一の基地局からのものである必要はない。選択したキャリア数を最小にする一方、所定の最低の信頼性の閾値に合致させるため、複数の基地局５１０からのキャリアを選択することができる。
【００４４】
図８は、多数の基地局がある環境において、図７のＡ７２０を実行する方法を示す。ここでは、ユーザ機器５２０は第１のキャリアはそのままで十分であるということを決定した。それ故、もし第１のキャリアが現在のサービング基地局５１０−１からのものでないなら、ハンドオフを要求する。
【００４５】
Ａ８１０では、ユーザ機器５２０は、ハンドオフが必要かどうかを決定する。即ち、第１のキャリアが、現在のサービング基地局でない基地局からのものであるかどうかを決定する。もしそのような決定をするなら、Ａ８２０で、新しいサービング基地局５１０−２にハンドオフするよう、ユーザ機器５２０は現在のサービング基地局５１０−１に要求する。ひとたびハンドオフが完了すれば、ユーザ機器５２０は、アンカ・キャリアセットの第１のキャリアのみを含めるよう、新しいサービング基地局５１０−２に要求する。もしハンドオフを要求しないなら、Ａ８４０で、アンカ・キャリアセットにある第１のキャリアのみを含めるようユーザ機器５２０は現在のサービング基地局５１０−１に要求する。
【００４６】
前に注意を喚起したように、アンカ・キャリア数を最小にする利点は、ユーザ機器の電力が保存される点にある。例えば、ユーザ機器には、それぞれ特定のコンポーネント・キャリアの信号を受信するよう構成した固定的な狭帯域幅を受信する複数の受信器を含めてもよい。アンカ・キャリア数を最小にすることにより、アンカ・キャリアに対応しない受信器は、電力節約モードに置くことができる。この電力節約モードには、受信器の電源をオフにすること、受信器を周期的モニタモードに置くこと、ＤＲＸ（不連続受信）モードを可能にすること等の内のいずれか一つ以上を含めることができる。
【００４７】
もう一つの例では、ユーザ機器には、各受信器の周波数範囲を動的に適応させることが可能な、帯域幅が適応型の一つ以上の受信器を含めてもよい。ここで、電力節約のために非アンカ・キャリアを除くよう、受信器の受信周波数範囲を狭めることができる。勿論、ユーザ機器には固定型と適応型の両方の帯域幅受信器を含むことができる。
【００４８】
図１〜図８に示した実施例は、定常的またはゆっくり移動するユーザ機器で非常によく機能することができる。ゆっくり移動する状況では、コンポーネント・キャリアの品質／信頼性は、ユーザ機器の観点から変更することはありそうもない。しかしながら、高速移動のユーザ機器に対しては、図９に示すように、状況は非常に異なる可能性がある。図示のように、ユーザ機器９２０は、時間ｔ１と時間ｔ２で著しく異なる位置にいる。時間ｔ１で十分であったアンカ・キャリアセットは、時間ｔ２で十分でない可能性があり、時間ｔ２でユーザ機器９２０のためにこのアンカ・キャリアセットを変更する必要があるであろう。もしユーザ機器９２０が非常に高速に移動しているなら、このアンカ・キャリアセットは頻繁に変更されるであろう。
【００４９】
ユーザ機器が高速移動するシナリオの下でも、図２〜図８に概説した方法は、良好な結果で使用可能である。しかしながら、頻繁なアンカ・キャリアセット変更の必要性を予想し、前もってユーザ機器９２０にその情報を提供することは、リソース効率を更に向上させるかもしれない。一実施例では、ユーザ機器９２０にアンカ・ホッピング・パターンを提供する。このアンカ・ホッピング・パターンは、基地局９１０が送信する制御信号を受信するためにユーザ機器９２０が使用すべき一つ以上のアンカ・キャリアの時間シーケンスを指定する。
【００５０】
このホッピング・パターンはユーザ機器固有のものであり、ユーザ機器９２０の識別に基づくものである。また、このホッピング・パターンは幾つかのセル固有のホッピング・パターンに基づいたセル固有のものでも良い。このホッピング・パターンは、スーパフレーム（ＬＴＥでは１０ミリ秒長）のための特定のコンポーネント・キャリアの制御チャネルをユーザ機器が聴取し、それから、別の一つ以上のコンポーネント・キャリアにジャンプするというようなもので良い。それから、ユーザ機器５２０はメッセージを受信し、このホッピング・パターンに従うコンポーネント・キャリアの制御信号を検出できる。アンカ・キャリア・ホッピング・パターンを適用する利点は、周波数と時間との内の少なくとも１つの選択性フェージングに耐性を導入し、同時に、図２〜図８で示した方法に関連するアンカ・キャリア再選択シグナリングのオーバヘッドを削減する。
【００５１】
図１０は、上述のキャリア・ホッピング手順を実施するための方法の例Ｍ１０００を示す。Ａ１０１０で、ユーザ機器９２０は基地局９１０からコンポーネント・キャリアに関する情報を受信する。
【００５２】
ホッピング・パターンの必要があると基地局９１０が決定するために、このホッピング・パターンが提供されるとよい。例えば、ユーザ機器９２０は所定の最低速度以上の大きな速度で移動しているため、Ａ１０１０でそのホッピング・パターンを必要としていると、基地局は決定できる。一実施例では、ユーザ機器９２０の移動速度を決定するため、基地局９１０が時間にわたって、ユーザ機器９２０からのアップリンク送信強度が測定される。
【００５３】
また、ユーザ機器９２０がその必要性を決定するために、このホッピング・パターンが提供されてもよい。Ａ１０３０で、ユーザ機器が所定の最低速度より大きい速度で移動しており、それ故、ホッピング・パターンを要求するということを、ユーザ機器９２０自身が決定できる。例えば、ユーザ機器９２０には、ＧＰＳユニットのような位置検出ユニットを含むとよい。
【００５４】
Ａ１０２０でホッピング・パターンの必要性を決定する場合、または、Ａ１０３０でユーザ機器がホッピング・パターンの要求を行なう場合、Ａ１０４０で、基地局９２０はユーザ機器９１０にホッピング・パターンを提供する。次にＡ１０５０で、ユーザ機器９２０は、アンカ・キャリア・ホッピング・パターンに従うアンカ・キャリアにより順序付けを行うことにより、基地局９１０から送信する制御信号を受信するよう受信器を適応させる。
【００５５】
以上検討した方法の例と実施例では、アンカ・キャリアセットにおけるアンカ・キャリアの選択は、ユーザ機器に関する考察に基づく。しかしながら、ユーザ機器のためのアンカ・キャリアセットの構成はまた、全体としてのネットワークの考察に基づいても良い。例えば、ネットワークにおける能力の問題があるかもしれない。時間とともに、幾つかのコンポーネント・キャリアは過度に利用される可能性があり、その他のコンポーネント・キャリアは十分に利用されない可能性がある。過度の利用は、ユーザ機器に制御信号を送信することのみならず、複数の基地局と複数のユーザ機器との間でのデータ搬送にキャリアを使用することからも生じ得る。
【００５６】
図１１は、負荷管理のため、アンカ・キャリアを再分配する、即ち、アンカ・キャリアセットを更新する方法を示す。図１１では、基地局は、Ａ１１１０でユーザ機器との通信のため使用する複数のコンポーネント・キャリアの各々の負荷をモニタする。このモニタに基づき、Ａ１１２０で、基地局は、ユーザ機器がアンカ・キャリアセットを更新すべきかどうかを決定する。もしそのような決定がなされたなら、次にＡ１１３０で、基地局はアンカ・キャリアを切換えるよう、即ち、アンカ・キャリアセットを更新するよう、一つ以上のユーザ機器に通知する。即ち、基地局は、その特定のユーザ機器のために制御信号を送信する一つ以上のコンポーネント・キャリアで、ユーザ機器に情報を提供する。その後、基地局はそれに応じて制御信号を送信する。
【００５７】
アンカ・キャリアセットの更新を開始する多くの理由があり得る。例えば、ユーザ機器の一つが使用するアンカ・キャリアのＳＩＲが、所定の最低ＳＩＲ閾値以下に下落する可能性がある。その他の理由には、アンカ・キャリアにより搬送されたデータの誤り率が所定の誤り率閾値を過ぎてしまう、アンカ・キャリアで送信されたデータの再送要求率が所定の再送要求率の閾値以下に下落する、一つのキャリアで基地局がサービスを行うユーザ機器数が、別のキャリアでその基地局がサービスを行うユーザ機器数より少なくとも所定の数だけ多い、一つのキャリアで送信するデータ量が、別のキャリアで送信するデータ量より少なくとも所定の量だけ大きい等がある。
【００５８】
図１２は、処理ユニット１２１０、モニタユニット１２２０、通信ユニット１２３０、及び位置検出ユニット１２４０を含むユーザ機器２２０、５２０、及び９２０の実施例を示す。モニタユニット１２２０は、例えば、基地局２１０、５１０、９１０が送信するキャリアの信号の品質をモニタし、ＧＰＳユニットのような位置ユニット１２４０は、ユーザ機器２２０、５２０、９２０の現在の位置を決定でき、同じく移動速度を決定する。
【００５９】
通信ユニット１２３０は、基地局２１０、５１０、９１０と通信するよう構成され、固定帯域幅受信器と適応型帯域幅受信器の任意の組合せを含むことができる。もし、固定帯域幅受信器だけを考慮するなら、通信ユニット１２３０は、各受信器が複数のコンポーネント・キャリアの中の一つを聴取するよう構成された複数の受信器を含むことが好ましい。もし、適応型帯域幅受信器のみを考慮するなら、これらの受信器の一つ以上があると良い。もし組合せを考慮するなら、一つ以上の固定帯域幅受信器と一つ以上の適応型帯域幅受信器があると良い。
【００６０】
上述の方法を実行するため、処理ユニット１２１０は、モニタユニット１２２０、通信ユニット１２３０、及び位置ユニット１２４０を含むユーザ機器２２０、５２０、９２０の構成要素の動作を制御するようを構成される。
【００６１】
図１３は、図２、５、９に示す基地局２１０、５１０、９１０の実施例を示す。基地局２１０、５１０、９１０には、処理ユニット１３１０、モニタユニット１３２０、及び通信ユニット１３３０を含む。例えば、基地局２１０、５１０、９１０が使用するコンポーネント・キャリアの負荷をモニタするよう、モニタユニット１３２０を構成する。ネットワークにおいて、ユーザ機器２２０、５２０、９２０と通信するよう通信ユニット１３３０を構成する。上述の方法を実行するため、処理ユニット１３１０は、モニタユニット１３２０と通信ユニット１３３０を含む基地局２１０、５１０、９１０の構成要素の動作を制御するよう構成される。
【００６２】
上記の説明には多くの技術仕様を含むが、本発明の範囲を制限するものでなく、この発明の現在の好ましい実施例の幾つかを示すことを単に提供するものと解釈すべきである。従って、本発明の範囲は、当業者には明らかである他の実施例を十分に包含し、従って、本発明の範囲を制限するものではないことが認識されるであろう。当業者には既知である上述した好ましい実施例の要素と、構造的、機能的に等価なものは、参照によりここで本明細書に明確に組み込まれており、この明細書により包含されることが意図されている。加えて、ここで説明され、或は、現在の技術により解決が求められており、そのためにここで包含される各々および全ての問題をデバイスまたは方法が扱うことは必ずしも必要ではない。更に、この開示において役目を果たす要素、構成要素、または方法は公衆に向けられることを意図していない。
【図１】
2011517536.tif 000003
【図２】
2011517536.tif 000004
【図３】
2011517536.tif 000005
【図４】
2011517536.tif 000006
【図５】
2011517536.tif 000007
【図６】
2011517536.tif 000008
【図７】
2011517536.tif 000009
【図８】
2011517536.tif 000010
【図９】
2011517536.tif 000011
【図１０】
2011517536.tif 000012
【図１１】
2011517536.tif 000013
【図１２】
2011517536.tif 000014
【図１３】
2011517536.tif 000015
【手続補正書】
【提出日】平成22年1月25日(2010.1.25)
【手続補正１】
【補正対象書類名】明細書
【補正対象項目名】０００３
【補正方法】変更
【補正の内容】
【０００３】
この問題に対処する一つの方法は、図１に示すように、多数の狭い帯域幅（即ち、コンポーネント・キャリア）を集約することであり、これら狭帯域幅は連続的でも非連続的でも良く、これを集約して広い帯域幅を実現する。図１の例では、５０ＭＨｚ帯域幅スペクトルが、個別の狭い帯域幅のコンポーネント・キャリアを集約することによって実現されており、この例では２０ＭＨｚ、２０ＭＨｚ、及び１０ＭＨｚの幅のキャリアである。国際公開第２００６／１２５１４９号パンフレットは、無線ネットワークにおける移動局に対するスループットを改善するために多数のキャリアを用いることを検討している。そのような解決策の一つの利点は、最大１Ｇビット／秒以上のデータ速度をサポートするため、十分大きな帯域幅を生成することが可能である点にある。更に、この解決策はまた、スペクトル部分を各種の状況および地理的位置に適応させることを可能とし、それ故、その様な解決策を非常に柔軟にしている。
【手続補正２】
【補正対象書類名】明細書
【補正対象項目名】００３２
【補正方法】変更
【補正の内容】
【００３２】
図３は、ユーザ機器２２０の観点からユーザ機器２２０の一つ以上のアンカ・キャリアを選択するための方法の例Ｍ３００を示す。この方法では、ユーザ機器２２０は、Ａ３１０で、アンカ・キャリアとして選択される可能性がある基地局２１０から、コンポーネント・キャリアで情報を受信する。例えば、ユーザ機器２２０がまず基地局２１０に接続すると、基地局２１０は情報を同報するかもしれない。この時点では、少なくとも一つのコンポーネント・キャリアをユーザ機器２２０のアンカ・キャリアとして使用すると仮定される。１つの例では、基地局２１０との初期の接続時に、ユーザ機器２２０のアンカ・キャリアとして、デフォルト・キャリアを割当ててもよい。
【手続補正３】
【補正対象書類名】特許請求の範囲
【補正対象項目名】全文
【補正方法】変更
【補正の内容】
【特許請求の範囲】
【請求項１】
無線ネットワーク（２００，５００，９００）のユーザ機器（２２０，５２０，９２０）を動作させる方法であって、
基地局（２１０，５２０，９２０）から送信された制御信号を受信するために前記ユーザ機器（２２０，５２０，９２０）によって用いられる１つ以上のアンカ・キャリアを含むアンカ・キャリアのセットが変更されるべきであるかどうかに関して決定を行う工程（Ａ３３０，Ａ６３０）と、
前記アンカ・キャリアのセットが変更されるべきであると決定された場合は、前記アンカ・キャリアのセットを変更するよう前記基地局（２１０，５１９，９１０）に要求を行う工程（Ａ３４０，Ａ６４０）とを有し、
前記ユーザ機器（２２０，５２０，９２０）の観点から第１のキャリアの信頼性が第２のキャリアの信頼性より高い場合には、前記アンカ・キャリアのセットが変更されるべきであると決定され、
前記第１のキャリアは現在、前記アンカ・キャリアのセットにはなく、前記第２のキャリアが現在、前記アンカ・キャリアのセットにあり、
前記アンカ・キャリアのセットを変更するよう前記基地局（２１０，５１９，９１０）に要求を行う工程（Ａ３４０，Ａ６４０）の動作は、
前記アンカ・キャリアのセットが変更されるべきであると決定された場合に、前記第１のキャリアが所定の最低の信頼性の閾値に達しているかどうかを判断する工程（Ａ４１０，Ａ７１０）と、
前記第１のキャリアが前記所定の最低の信頼性の閾値に達していないと判断された場合に、前記アンカ・キャリアのセットに多数のキャリアを含ませるように前記基地局（２１０，５１０，９１０）に要求を行う工程（Ａ４３０，Ａ７３０）とを有し、
前記変更後、前記第１のキャリアが前記アンカ・キャリアのセットに含まれることを特徴とする方法。
【請求項２】
前記ユーザ機器（２２０，５２０，９２０）は、夫々がバンド幅と関係付けられている複数のキャリアにより前記基地局（２１０，５１０，９１０）と通信可能であり、
前記複数のキャリアにより表現される周波数スペクトラムには少なくとも１つのギャップがあることを特徴とする請求項１に記載の方法。
【請求項３】
前記第１のキャリアの信号対干渉比（ＳＩＲ）が前記第２のキャリアのＳＩＲより高いことと、
前記第１のキャリアの基準信号の受信電力（ＲＳＲＰ）が前記第２のキャリアのＲＳＲＰより高いことと、
前記第１のキャリアのデータ転送速度が前記第２のキャリアのデータ転送速度よりも速いことと、
前記第１のキャリアのエラー率が前記第２のキャリアのエラー率よりも低いことと、
前記第１のキャリアの繰り返し要求率が前記第２のキャリアの繰り返し要求率よりも低いこととの内、いずれか１つ以上があてはまる場合、
前記第１のキャリアは前記第２のキャリアより信頼性が高いと決定されることを特徴とする請求項１に記載の方法。
【請求項４】
前記アンカ・キャリアのセットを変更するよう前記基地局（２１０，５１９，９１０）に要求を行う工程（Ａ３４０，Ａ６４０）の動作はさらに、
前記第１のキャリアが前記所定の最低の信頼性の閾値に達していると判断された場合に、前記アンカ・キャリアのセットにおいて前記第１のキャリアだけを含ませるように前記基地局（２１０，５１０，９１０）に要求を行う工程（Ａ４２０，Ａ７２０）を有することを特徴とする請求項１に記載の方法。
【請求項５】
前記多数のキャリアは、前記所定の最低の信頼性の閾値に達するために必要なアンカ・キャリアの数を最小にするために、前記ユーザ機器（２２０，５２０，９２０）が聴取可能な前記複数のキャリアから選択されることを特徴とする請求項１に記載の方法。
【請求項６】
前記基地局（２１０，５１０，９１０）は現在のサービング基地局（２１０，５１０，９１０）であり、
前記アンカ・キャリアのセットにおいて前記第１のキャリアだけを含ませるように前記基地局（２１０，５１０，９１０）に要求を行う工程（Ａ７２０）の動作は、
前記第１のキャリアが前記所定の最低の信頼性の閾値に達していると判断された場合に、新しいサービング基地局（２１０，５１０，９１０）へのハンドオフが要求されているかどうかを判断する工程（Ａ８１０）と、
前記ハンドオフが要求されていると判断された場合、前記ハンドオフのために前記現在のサービング基地局（２１０，５１０，９１０）に要求を行う工程（Ａ８２０）と、
前記ハンドオフの要求後、前記アンカ・キャリアのセットにおいて前記第１のキャリアだけを含ませるように前記新しいサービング基地局（２１０，５１０，９１０）に要求を行う工程（Ａ８３０）とを有することを特徴とする請求項４に記載の方法。
【請求項７】
前記アンカ・キャリアのセットにないキャリアで信号を受信するように適合された前記ユーザ機器（２２０，５２０，９２０）の複数の受信器を電力節約モードにおく工程をさらに有することを特徴とする請求項１に記載の方法。
【請求項８】
前記複数の受信器の各々を電力節約モードにおく工程は、
前記受信器をオフにする工程と、
前記受信器でＤＲＸモードでの動作を可能にする工程と、
前記アンカ・キャリアではないキャリアを排除するために前記受信器の受信周波数範囲を狭める工程との内のいずれか１つ以上を含むことを特徴とする請求項７に記載の方法。
【請求項９】
前記基地局（２１０，５１０，９１０）からアンカホッピングパターンを受信する工程（Ａ１０４０）と、
前記アンカホッピングパターンに従って前記基地局（２１０，５１０，９１０）から送信される制御信号を受信するよう前記ユーザ機器（２２０，５２０，９２０）の１つ以上の受信器を適合させる工程（Ａ１０５０）とを有し、
前記アンカホッピングパターンは、前記基地局（２１０，５１０，９１０）により送信される前記制御信号を受信するために、前記ユーザ機器（９２０）により用いられる１つ以上のアンカ・キャリアのタイムシーケンスを指定することを特徴とする請求項１に記載の方法。
【請求項１０】
前記ユーザ機器（２２０，５２０，９２０）が所定の最低速度の閾値以上の速度で移動していると判断された場合、前記アンカホッピングパターンについて、前記基地局（２１０，５１０，９１０）に要求を行う工程（Ａ１０３０）をさらに有することを特徴とする請求項９に記載の方法。
【請求項１１】
前記アンカ・キャリアのセットにおけるアンカ・キャリアの数は要求後、変更されることを特徴とする請求項１に記載の方法。
【請求項１２】
無線ネットワーク（２００，５００，９００）のユーザ機器（２２０，５２０，９２０）であって、
基地局（２１０，５２０，９２０）と通信するように構成された通信ユニット（１２３０）と、
前記基地局（２１０，５２０，９２０）から送信された制御信号を受信するために前記ユーザ機器（２２０，５２０，９２０）によって用いられる１つ以上のアンカ・キャリアを含むアンカ・キャリアのセットが変更されるべきであるかどうかに関して決定し、
前記アンカ・キャリアのセットが変更されるべきであると決定された場合は、前記アンカ・キャリアのセットを変更するよう、前記通信ユニット（１２３０）を介して、前記基地局（２１０，５１９，９１０）に要求を行うよう構成された処理ユニット（１２１０）とを有し、
前記処理ユニット（１２１０）は、第１のキャリアの信頼性が第２のキャリアの信頼性より高い場合には、前記アンカ・キャリアのセットが変更されるべきであると決定するよう構成され、
前記第１のキャリアは現在、前記アンカ・キャリアのセットにはなく、前記第２のキャリアは現在、前記アンカ・キャリアのセットにあり、
前記処理ユニット（１２１０）は、
前記アンカ・キャリアのセットが変更されるべきであると決定された場合に、前記第１のキャリアが所定の最低の信頼性の閾値に達しているかどうかを判断し、
前記第１のキャリアが前記所定の最低の信頼性の閾値に達していないと判断された場合に、前記アンカ・キャリアのセットに多数のキャリアを含ませるように前記基地局（２１０，５１０，９１０）に要求を行うことにより、
前記アンカ・キャリアのセットへの変更を要求するよう構成されており、
前記変更後、前記第１のキャリアが前記アンカ・キャリアのセットに含まれることを特徴とするユーザ機器。
【請求項１３】
前記ユーザ機器（２２０，５２０，９２０）は、夫々がバンド幅と関係付けられている複数のキャリアにより前記基地局（２１０，５１０，９１０）と通信可能であり、
前記複数のキャリアにより表現される周波数スペクトラムには少なくとも１つのギャップがあることを特徴とする請求項１２に記載のユーザ機器。
【請求項１４】
前記処理ユニット（１２１０）は、
前記第１のキャリアの信号対干渉比（ＳＩＲ）が前記第２のキャリアのＳＩＲより高いことと、
前記第１のキャリアの基準信号の受信電力（ＲＳＲＰ）が前記第２のキャリアのＲＳＲＰより高いことと、
前記第１のキャリアのデータ転送速度が前記第２のキャリアのデータ転送速度よりも速いことと、
前記第１のキャリアのエラー率が前記第２のキャリアのエラー率よりも低いことと、
前記第１のキャリアの繰り返し要求率が前記第２のキャリアの繰り返し要求率よりも低いこととの内、いずれか１つ以上があてはまる場合、
前記第１のキャリアは前記第２のキャリアより信頼性が高いと決定するよう構成されていることを特徴とする請求項１２に記載のユーザ機器。
【請求項１５】
前記処理ユニット（１２１０）はさらに、
前記第１のキャリアが前記所定の最低の信頼性の閾値に達していると判断した場合に、前記アンカ・キャリアのセットにおいて前記第１のキャリアだけを含ませるように前記基地局（２１０，５１０，９１０）に要求を行うことにより、
前記アンカ・キャリアのセットへの変更を要求するよう構成されていることを特徴とする請求項１２に記載のユーザ機器。
【請求項１６】
前記多数のキャリアは、前記所定の最低の信頼性の閾値に達するために必要なアンカ・キャリアの数を最小にするために、前記通信ユニット（１２３０）が聴取可能な前記複数のキャリアから選択されることを特徴とする請求項１２に記載のユーザ機器。
【請求項１７】
前記基地局（２１０，５１０，９１０）は現在のサービング基地局（２１０，５１０，９１０）であり、
前記処理ユニット（１２１０）は、
前記第１のキャリアが前記所定の最低の信頼性の閾値に達していると判断された場合に、新しいサービング基地局（２１０，５１０，９１０）へのハンドオフが要求されているかどうかを判断し、
前記ハンドオフが要求されていると判断された場合、前記ハンドオフのために前記現在のサービング基地局（２１０，５１０，９１０）に要求を行い、
前記ハンドオフの要求後、前記アンカ・キャリアのセットにおいて前記第１のキャリアだけを含ませるように前記新しいサービング基地局（２１０，５１０，９１０）に要求を行うように構成されていることを特徴とする請求項１５に記載のユーザ機器。
【請求項１８】
前記処理ユニット（１２１０）は、
前記アンカ・キャリアのセットにないキャリアで信号を受信するように適合された前記ユーザ機器（２２０，５２０，９２０）の複数の受信器を電力節約モードにおくよう構成されていることを特徴とする請求項１２に記載のユーザ機器。
【請求項１９】
前記複数の受信器の各々を電力節約モードにおくことは、
前記受信器をオフにすることと、
前記受信器でＤＲＸモードでの動作を可能にすることと、
前記アンカ・キャリアではないキャリアを排除するために前記受信器の受信周波数範囲を狭めることとの内のいずれか１つ以上を含むことを特徴とする請求項１８に記載のユーザ機器。
【請求項２０】
前記通信ユニット（１２３０）は、
前記基地局（２１０，５１０，９１０）により送信された対応するキャリアで信号を受信するように構成された、バンド幅が固定の２つ以上の受信器、或は、
前記基地局（２１０，５１０，９１０）により送信された１つ以上のキャリアで信号を受信するように動的に適合可能に構成された、バンド幅が適合的な１つ以上の受信器と、或は、
バンド幅が固定の１つ以上の受信器とバンド幅が適合的な１つ以上の受信器を含むことを特徴とする請求項１２に記載のユーザ機器。
【請求項２１】
前記処理ユニット（１２１０）は、
前記基地局（２１０，５１０，９１０）からアンカホッピングパターンを前記通信ユニット（１２３０）を介して受信し、
前記アンカホッピングパターンに従って前記基地局（２１０，５１０，９１０）から送信される制御信号を受信するよう前記通信ユニット（１２３０）の１つ以上の受信器を適合させるように構成され、
前記アンカホッピングパターンは、前記基地局（２１０，５１０，９１０）により送信される前記制御信号を受信するために、前記ユーザ機器（２２０，５２０，９２０）により用いられる１つ以上のアンカ・キャリアのタイムシーケンスを指定することを特徴とする請求項１２に記載のユーザ機器。
【請求項２２】
前記ユーザ機器（２２０，５２０，９２０）の位置を決定するように構成された位置検出ユニット（１２４０）をさらに有し、
前記処理ユニット（１２１０）は、
前記位置検出ユニット（１２４０）を介して、前記ユーザ機器（２２０，５２０，９２０）が所定の最低速度の閾値以上で移動していることを判断し、
前記ユーザ機器（２２０，５２０，９２０）が前記所定の最低速度の閾値以上で移動していると判断された場合、前記アンカホッピングパターンについて、前記通信ユニット（１２３０）を介して、前記基地局（２１０，５１０，９１０）に要求を行うよう構成されていることを特徴とする請求項２１に記載のユーザ機器。
【請求項２３】
無線ネットワーク（２００，５００，９００）の基地局（２１０，５１０，９１０）を動作させる方法であって、
１つ以上のユーザ機器（２２０，５２０，９２０）に関し、前記１つ以上のユーザ機器（２２０，５２０，９２０）に対して、夫々が制御信号を送信するために前記基地局（２１０，５１０，９１０）により用いられる１つ以上のアンカ・キャリアを含む複数のアンカ・キャリアのセットが更新されるべきであるかどうかに関して決定を行う工程（Ａ１１２０）と、
前記複数のアンカ・キャリアのセットが更新されるべきであると決定された場合は、前記アンカ・キャリアのセットの更新の通知を前記１つ以上のユーザ機器（２２０，５２０，９２０）に送信する工程（Ａ１１３０）とを有し、
少なくとも１つのユーザ機器（２２０，５２０，９２０）に対する所定の最低の信頼性の閾値に達する単一のキャリアがない場合、前記ユーザ機器（２２０，５２０，９２０）に対する前記アンカ・キャリアのセットは多数のキャリアを含むことを特徴とする方法。
【請求項２４】
前記１つ以上のユーザ機器（２２０，５２０，９２０）の各々に関して、前記通知は、どのキャリアが前記ユーザ機器（２２０，５２０，９２０）が制御信号を送信するためにアンカ・キャリアとして前記基地局（２１０，５１０，９１０）により用いられるのかの指示を含むことを特徴とする請求項２３に記載の方法。
【請求項２５】
少なくとも１つのアンカ・キャリアの信号対干渉比（ＳＩＲ）が、前記１つ以上のユーザ機器（２２０，５２０，９２０）のいずれかに対する所定の最低ＳＩＲの閾値より小さいことと、
少なくとも１つのアンカ・キャリアにより送信されるデータのエラー率が、前記１つ以上のユーザ機器（２２０，５２０，９２０）のいずれかに対する所定のエラー率の閾値を超えることと、
少なくとも１つのアンカ・キャリアにより送信されるデータの繰り返し要求率が、前記１つ以上のユーザ機器（２２０．５２０，９２０）のいずれかに対する所定の繰り返し要求率の閾値よりも低いことと、
第１のキャリアにより前記基地局（２１０，５１０，９１０）によりサービスを受けているユーザ機器（２２０，５２０，９２０）の数が、第２のキャリアにより前記基地局（２１０，５１０，９１０）によりサービスを受けているユーザ機器（２２０，５２０，９２０）の数より少なくとも所定の数だけ多いことと、
前記第１のキャリアにより送信されるデータ量が、前記第２のキャリアにより送信されるデータ量よりも少なくとも所定の量だけ多いこととの内、いずれか１つ以上があてはまる場合、
前記複数のアンカ・キャリアのセットは更新されるべきであると決定されることを特徴とする請求項２３に記載の方法。
【請求項２６】
ユーザ機器（２２０，５２０，９２０）に対して、アンカホッピングパターンが必要であるかどうかに関して決定を行う工程（Ａ１０２０）と、
前記アンカホッピングパターンが必要であると決定された場合、前記ユーザ機器（９２０）に対して前記アンカホッピングパターンを提供する工程（Ａ１０４０）と、
前記アンカホッピングパターンに従って、前記ユーザ機器（２２０，５２０，９２０）に対して制御信号を送信する工程（Ａ１０５０）とをさらに有し、
前記アンカホッピングパターンは、前記ユーザ機器（２２０，５２０，９２０）に前記制御信号を送信するために、前記基地局（２１０，５１０，９１０）により用いられる１つ以上のアンカ・キャリアのタイムシーケンスを指定することを特徴とする請求項２３に記載の方法。
【請求項２７】
前記ユーザ機器（２２０，５２０，９２０）は所定の最低速度の閾値以上の速度で移動していると判断された場合、或は、
前記アンカホッピングパターンの要求が前記ユーザ機器（２２０，５２０，９２０）から受信された場合には、
前記アンカホッピングパターンが必要であると判断することを特徴とする請求項２６に記載の方法。
【請求項２８】
無線ネットワーク（２００，５００，９００）の基地局（２１０，５１０，９１０）であって、
ユーザ機器（９２０）と通信を行うように構成された通信ユニット（１３３０）と、
１つ以上のユーザ機器（２２０，５２０，９２０）に関し、前記１つ以上のユーザ機器（２２０，５２０，９２０）に対して、夫々が制御信号を送信するために前記基地局（２１０，５１０，９１０）により用いられる１つ以上のアンカ・キャリアを含む複数のアンカ・キャリアのセットが更新されるべきであるかどうかに関して決定を行い、
前記複数のアンカ・キャリアのセットが更新されるべきであると決定された場合は、前記複数のアンカ・キャリアのセットの更新の通知を、前記通信ユニット（１３３０）を介して、前記１つ以上のユーザ機器（２２０，５２０，９２０）に送信するよう構成された処理ユニット（１３１０）とを有し、
少なくとも１つのユーザ機器（２２０，５２０，９２０）に対する所定の最低の信頼性の閾値に達する単一のキャリアがない場合、前記ユーザ機器（２２０，５２０，９２０）に対する前記アンカ・キャリアのセットは多数のキャリアを含むことを特徴とする基地局。
【請求項２９】
前記１つ以上のユーザ機器（２２０，５２０，９２０）の各々に関して、前記通知は、どのキャリアが前記ユーザ機器（２２０，５２０，９２０）が制御信号を送信するためにアンカ・キャリアとして前記基地局（２１０，５１０，９１０）により用いられるのかの指示を含むことを特徴とする請求項２８に記載の基地局。
【請求項３０】
前記処理ユニット（１３１０）は、
少なくとも１つのアンカ・キャリアの信号対干渉比（ＳＩＲ）が、前記１つ以上のユーザ機器（２２０，５２０，９２０）のいずれかに対する所定の最低ＳＩＲの閾値より小さいことと、
少なくとも１つのアンカ・キャリアにより送信されるデータのエラー率が、前記１つ以上のユーザ機器（２２０，５２０，９２０）のいずれかに対する所定のエラー率の閾値を超えることと、
少なくとも１つのアンカ・キャリアにより送信されるデータの繰り返し要求率が、前記１つ以上のユーザ機器（２２０．５２０，９２０）のいずれかに対する所定の繰り返し要求率の閾値よりも低いことと、
第１のキャリアにより前記基地局（２１０，５１０，９１０）によりサービスを受けているユーザ機器（２２０，５２０，９２０）の数が、第２のキャリアにより前記基地局（２１０，５１０，９１０）によりサービスを受けているユーザ機器（２２０，５２０，９２０）の数より少なくとも所定の数だけ多いことと、
前記第１のキャリアにより送信されるデータ量が、前記第２のキャリアにより送信されるデータ量よりも少なくとも所定の量だけ多いこととの内、いずれか１つ以上があてはまる場合、
前記複数のアンカ・キャリアのセットは更新されるべきかどうかに関する決定を行うように構成されていることを特徴とする請求項２８に記載の基地局。
【請求項３１】
前記処理ユニット（１３１０）は、
ユーザ機器（２２０，５２０，９２０）に対して、アンカホッピングパターンが必要であるかどうかに関して決定を行い、
前記アンカホッピングパターンが必要であると決定された場合、前記ユーザ機器（９２０）に対して前記アンカホッピングパターンを提供し、
前記アンカホッピングパターンに従って、前記ユーザ機器（２２０，５２０，９２０）に対して制御信号を送信するよう構成されており、
前記アンカホッピングパターンは、前記ユーザ機器（２２０，５２０，９２０）に前記制御信号を送信するために、前記基地局（２１０，５１０，９１０）により用いられる１つ以上のアンカ・キャリアのタイムシーケンスを指定することを特徴とする請求項２８に記載の基地局。
【請求項３２】
前記処理ユニット（１３１０）は、
前記処理ユニット（１３１０）が前記ユーザ機器（２２０，５２０，９２０）は所定の最低速度の閾値以上の速度で移動していると判断するか、或は、
前記アンカホッピングパターンの要求が前記ユーザ機器（２２０，５２０，９２０）から受信された場合には、
前記アンカホッピングパターンが必要であると判断するよう構成されていることを特徴とする請求項３１に記載の基地局。
【国際調査報告】
2011517536.tif 000016
2011517536.tif 000017
2011517536.tif 000018